(57)【特許請求の範囲】
【請求項１】
寝具の上面に設けられる寝装用パッド装置であって、
パッド本体と、
柔軟な材料を蛇行させた複数の流路部からなり、これら流路部が一端と他端を上記パッド本体の長手方向一端側に位置させるとともに、上記パッド本体の厚さ方向の中途部に、このパッド本体の幅方向に沿って並設された循環チューブと、
上記パッド本体の長手方向一端側の幅方向中央部に設けられた接続口体と、
内部に流体を流通させる供給管路と戻り管路が設けられ一端が上記接続口体に接続された接続チューブと、
上記循環チューブの各流路部に上記供給管路と上記戻り管路を通じて流体を流通させるとともに、その流体の温度を制御するコントローラ部を具備し、
複数の上記流路部の一端は上記接続口体を介して上記供給管路に接続され、他端は上記接続口体を介して上記戻り管路に接続されていることを特徴とする寝装用パッド装置。
【請求項２】
上記パッド本体は断熱性の材料によって形成された下層と、この下層の上面に設けられ通気性を備えた材料によって形成された上層とによって構成されていて、上記循環チューブは上記下層と上記上層の間に設けられていることを特徴とする請求項１記載の寝装用パッド装置。
【発明の詳細な説明】
【技術分野】
【０００１】
この発明は寝具としてのたとえばマットレスの上面に設けられる寝装用パッド装置に関する。
【背景技術】
【０００２】
たとえば、ベッド装置はベッド本体を有し、このベッド本体にはマットレスが載置される。このマットレスの上面にはベッドパッドが設けられ、このベッドパッドにはシーツが掛けられる。つまり、上記ベッドのマットレスはベッドパッドとシーツによってベッドメーキングされた状態で使用されることになる。
【０００３】
利用者は上記マットレス上に仰臥して就寝することになるが、冬季や夏季のように室内温度が低い季節や高い季節には暖房や冷房をして快適に就寝するようにしている。
【０００４】
しかしながら、室内を暖房や冷房して室温を制御するようにしたのでは熱効率が悪く、エネルギーの無駄が大きいので、上記ベッドを温めたり、冷却するということが行われている。
【０００５】
従来、上記ベッドを温めたり、冷却するには、上記ベッドに金属製の放熱パネルを埋設し、この放熱パネルに１本の放熱パイプを蛇行状に装着する。放熱パイプの一端の流入口は内部を流通する液体を温度制御する冷暖房ユニットの供給側に接続され、他端の流出口は冷暖房ユニットの戻り側に接続されている。
【０００６】
それによって、上記冷暖房ユニットによって温度制御された液体を上記放熱パイプに循環させることができるから、上記放熱パイプが埋設された寝具用ベッドを効率よく暖房したり、冷房することができるようにしている。
【先行技術文献】
【特許文献】
【０００７】
【特許文献１】特開平８−２９９１１５号公報
【発明の概要】
【発明が解決しようとする課題】
【０００８】
上述したように、寝具用ベッドに金属製の放熱パネルを埋設すれば、室内を暖房や冷房する場合に比べて利用者を効率よく温めたり、冷やしたりすること可能となる。しかしながら、寝具用ベッドに金属製の放熱パネルを埋設する構成であると、既存のベッド用寝具を使用することができなかったり、大幅な改造が必要となるため、極めて不経済であり、しかも寝具用ベッドに流れる流体の熱が利用者に効率よく伝わり難いから、熱効率を十分に向上させることができないということもある。
【０００９】
この発明は、既存のベッド用寝具が使用できなくなったり、大幅な改造が必要となる不経済が生じることなく利用者を効率よく暖房や冷房することができるようにした寝装用パッド装置を提供することにある。
【課題を解決するための手段】
【００１０】
この発明は、寝具の上面に設けられる寝装用パッド装置であって、
パッド本体と、
柔軟な材料を蛇行させた複数の流路部からなり、これら流路部が一端と他端を上記パッド本体の長手方向一端側に位置させるとともに、上記パッド本体の厚さ方向の中途部に、このパッド本体の幅方向に沿って並設された循環チューブと、
上記パッド本体の長手方向一端側の幅方向中央部に設けられた接続口体と、
内部に流体を流通させる供給管路と戻り管路が設けられ一端が上記接続口体に接続された接続チューブと、
上記循環チューブの各流路部に上記供給管路と上記戻り管路を通じて流体を流通させるとともに、その流体の温度を制御するコントローラ部を具備し、
複数の上記流路部の一端は上記接続口体を介して上記供給管路に接続され、他端は上記接続口体を介して上記戻り管路に接続されていることを特徴とする寝装用パッド装置にある。
【００１３】
上記パッド本体は断熱性の材料によって形成された下層と、この下層の上面に設けられ通気性を備えた材料によって形成された上層とによって構成されていて、上記循環チューブは上記下層と上記上層の間に設けられていることが好ましい。
【発明の効果】
【００１４】
この発明によれば、寝具の上面に設けられる寝装用パッド装置のパッド本体の厚さ方向の中途部に温度制御された流体が流通する循環チューブを設けたから、上記パッド本体の上面に仰臥する利用者を効率よく暖房したり、冷房することができ、しかも既存のベッドを使用することができるから、経済的である。
【図面の簡単な説明】
【００１５】
【図１】この発明の一実施の形態を示すベッド装置の正面図。
【図２】上記ベッド装置に用いられる就寝用パッド装置の平面図。
【図３】上記就寝用パッド装置のパッド本体の正面図。
【図４】上記就寝用パッド装置の流体の経路を示す説明図。
【発明を実施するための形態】
【００１６】
以下、この発明の一実施の形態を図面を参照しながら説明する。
【００１７】
図１はベッド１を示し、このベッド１は長手方向一端にヘッドボード２が設けられたベッド本体３を有する。このベッド本体３の上面には寝具としてのマットレス４が載置され、このマットレス４の上面には就寝用パッド装置５のパッド本体６が一対のバンド６ａを上記マットレス４に係合させて着脱可能に載置されている。上記パッド本体６と上記マットレス４は図示しないシーツによって覆われる。
【００１８】
なお、寝具としてマットレス４を挙げ、このマットレス４の上面に就寝用パッド装置５のパッド本体６を設けるようにしたが、寝具としては布団であってもよい。
【００１９】
図２に示すように、上記パッド本体６は上記マットレス４の平面形状とほぼ同じ大きさの矩形状に形成されている。図３に示すように、上記パッド本体６はポリエステル綿などの断熱性が比較的高い材料によって形成された下層７と、立体メッシュ織物などの通気性の高い材料によって形成された上層８とを重合し、これら下層７と上層８との周縁部をフランジ布１１によって一体的に縫合し、周縁部以外の部分をキルティング１２によって縫合して形成されている。
【００２０】
上記下層７の断熱性は上記上層８よりも高く、しかもこの上層８よりも低い通気性を備えていることが好ましい。つまり、断熱性と通気性の両方を備えた素材を用いることが好ましい。
【００２１】
上記立体メッシュ織物は、詳細は図示しないが、上面メッシュ地と下面メッシュ地とを連結糸によって適当な間隔で連結した立体構造をなしていて、厚さ方向及び厚さ方向と交差する方向に通気性を備えている。なお、この立体メッシュ織物はポリエステル、ポリアミド、アクリルなどの合成繊維、ウールや絹などの天然繊維、ガラス繊維、炭素繊維、金属繊維などの編成可能な繊維によって形成されている。
【００２２】
さらに、上記上層としては、立体メッシュ織物の他に、たとえば糸状のポリエチレンなどの樹脂を３次元的に絡み合わせることで、通気性を呈する空気層を有するよう形成された立体状の繊維層などであってもよい。
【００２３】
上記パッド本体６の下層７と上層８との間には、たとえばフッ素ゴムなどの柔軟な材料によって形成された循環チューブ１３が蛇行状に設けられている。この循環チューブ１３は上記パッド本体６の幅方向中央部分に三重に蛇行して設けられた第１の流路部１３ａと、上記パッド本体６の幅方向の上記第１の流路部１３ａの上側と下側にそれぞれＵ字状に１回だけ蛇行して設けられた第２乃至第５の流路部１３ｂ〜１３ｅとの５つの部分に分割されている。
【００２４】
上記第１乃至第５の流路部１３ａ〜１３ｅの一端と他端は上記パッド本体６の長手方向一端側に位置している。上記パッド本体６の長手方向一端側の幅方向中央部には本体チューブ１４が一端部を上記パッド本体６の内部に突出させて設けられている。
【００２５】
図４に示すように、上記本体チューブ１４の内部には第１の供給管路１５ａと第１の戻り管路１５ｂが全長にわたって設けられている。上記第１の供給管路１５ａの一端部には上記第１乃至第５の流路部１３ａ〜１３ｅの一端が上記本体チューブ１４の一端部に設けられた接続口体１６を介して接続され、上記第１の戻り管路１５ｂの一端部には上記第１乃至第５の流路部１３ａ〜１３ｅの他端が上記接続口体１６を介して接続されている。
【００２６】
上記本体チューブ１４の他端には、内部に第２の供給管路１８ａと第２の戻り管路１８ｂを有する接続チューブ１８の一端が着脱可能に接続されている。この接続チューブ１８の他端はコントローラ部１９に着脱可能に接続される。つまり、パッド本体６に対して上記コントローラ部１９は上記接続チューブ１８によって着脱可能に接続されている。
【００２７】
図４に示すように、上記コントローラ部１９にはたとえばペルチェ素子などによって形成された温度調節部２１が設けられている。この温度調節部２１にはポンプ２２を介してタンク２３が接続されている。このタンク２３に収容された流体、たとえば液体は上記温度調節部２１に上記ポンプ２２によって供給される。そして、上記温度調節部２１に供給された流体は図示しない設定部によって設定された温度に加熱或いは冷却される。  
なお、上記タンク２３は図示しない制御部によって運転が制御されるようになっている。
【００２８】
上記温度調節部２１で温度制御された流体は、この温度調節部２１から上記接続チューブ１８の第２の供給管路１８ａ及び上記本体チューブ１４の第１の供給管路１５ａを通じて上記パッド本体６の循環チューブ１３の第１乃至第５の流路部１３ａ〜１３ｅに分割されて供給される。
【００２９】
第１乃至第５の流路部１３ａ〜１３ｅに供給された流体は、温度制御された温度に応じてパッド本体６の内部で上記循環チューブ１３を介して放熱しながら循環し、上記本体チューブ１４の第１の戻り管路１５ｂ、上記接続チューブ１８の第２の戻り管路１８ｂ及び上記タンク２３を通じて上記温度調節部２１に戻るようになっている。
【００３０】
上記構成の寝装用パッド装置５によれば、就寝用パッド装置５のパッド本体６にコントローラ部１９によって温度制御された流体がポンプ２２によって循環させられる循環チューブ１３を設けるようにした。
【００３１】
そのため、従来から用いられているベッド本体３、マットレス４及びパッドのうち、パッドを新たなパッド本体６に交換するだけでよいから、既存のベッド本体３やマットレス４を改造する場合に比べて経済的である。つまり、パッド本体６とコントローラ部１９からなる寝装用パッド装置５は既存のベッド本体３に容易に用いることができる。
【００３２】
上記パッド本体６には、コントローラ部１９によって温度制御された流体が供給される循環チューブ１３を、上記パッド本体６の厚さ方向中途部に設けるようにした。つまり、上記パッド本体６を構成する下層７と上層８の間に設けるようにした。
【００３３】
上記下層７は断熱性が比較的高い材料によって形成され、上記上層８は通気性の高い材料によって形成されている。そのため、上記循環チューブ１３を流れる流体の熱は、上記パッド本体６の下面側には逃げ難く、上面側に放散され易いため、上記循環チューブ１３からの熱を上記パッド本体６上に仰臥した利用者に対して効率よく作用させることができる。つまり、上記循環チューブ１３を流れる流体の熱によって利用者を効率よく温めたり、冷やすことができる。
【００３４】
上記パッド本体６の下層７と上層８の間に設けられる上記循環チューブ１３を、第１乃至第５の流路部１３ａ〜１３ｅに分割し、上記コントローラ部１９の温度調節部２１で温度制御された流体を、接続チューブ１８と本体チューブ１８の第２、第１の供給管路１８ａ，１５ａを通じて供給するようにした。
【００３５】
すなわち、上記コントローラ部１９で温度制御された流体は、第１乃至第５の流路部１３ａ〜１３ｅに分割されて同時に供給されることになる。そのため、第１乃至第５の流路部１３ａ〜１３ｅにはほぼ同じ温度で流体が循環することになるから、パッド本体６の第１乃至第５の流路部１３ａ〜１３ｅが設けられた部分である、パッド本体６のほぼ全面をほぼ均一な温度にすることができる。
【００３６】
それによって、パッド本体６上に仰臥した利用者は全身がほぼ同じ温度で温められたり、冷やされたりするから、そのことによって快適性が向上することになる。
【００３７】
つまり、パッド本体６に設けられる循環チューブ１３を第１乃至第５の流路部１３ａ〜１３ｅに分割せずに１本とし、その一端から温度制御された流体を流入させて他端から流出させるようにした場合、上記循環チューブ１３での流体の流入側と流出側とで温度差が生じる。
【００３８】
しかしながら、この実施の形態に示すように循環チューブ１３を第１乃至第５の流路部１３ａ〜１３ｅに分割すれば、第１乃至第５の流路部１３ａ〜１３ｅにほぼ同じ温度の流体を流すことができるから、上述したようにパッド本体６の全面をほぼ均一な温度になるよう制御することが可能となる。
【００３９】
なお、上記一実施の形態では循環チューブ１３をパッド本体６の厚さ方向中途部に設けるために、パッド本体６を断熱性の高い材料からなる下層と、通気性の高い材料からなる上層とに分割したが、パッド本体６を下層と上層とに分割せずに綿などによって所定の厚さに形成するとともに、その厚さ方向の中途部に上記循環チューブ１３を埋設するようにしてもよい。
【００４０】
また、パッド本体６をマットレス４の上面に載置する例を挙げて説明したが、マットレス４の上面を形成する上鏡地をパッド本体６で形成するようにしてもよい。
【００４１】
また、パッド本体６をシート状の薄手で、可撓性を有する材料で形成すれば、そのパッド本体６によって形成された寝装用パッド装置を折り曲げて、たとえばソファーの座面と背面にかけて使用することもでき、さらにマットレス４の上面を形成する上鏡地として用いる場合にも好適する。
【００４２】
マットレス４がダブルサイズやキングサイズの場合、左右に２つのパッド本体６を並設して使用することもできる。その場合、左右一対のパッド本体６に設けられた循環チューブ１８を流れる流体の温度を異なる温度に調節することができる。
【００４３】
さらに、パッド本体６をマットレス４の長さの約半分の寸法にし、マットレス４の上下方向に２つのパッド本体６を設け、上下２つのパッド本体６に設けられた循環チューブ１８を流れる流体の温度を異なる温度に調節するようにしてもよい。
【００４４】
また、循環チューブ１３を５つに分割した例を挙げて説明したが、循環チューブ１３は２つ以上に分割すれば、分割しない場合に比べて上述した作用効果を得ることができる。
【符号の説明】
【００４５】
１…ベッド、３…ベッド本体、４…マットレス、５…就寝用パッド装置、６…パッド本体、７…下層、８…上層、１３…循環チューブ、１３ａ〜１３ｅ…第１乃至第５の流路部、１８…接続チューブ、１９…コントローラ部、２２…ポンプ、２３…タンク。
【図１】
0005677197.tif 000002
【図２】
0005677197.tif 000003
【図３】
0005677197.tif 000004
【図４】
0005677197.tif 000005